(57)【要約】【課題】  ファンの駆動状態に応じて適切な画質補正を行うことが可能な画像表示装置及びその制御方法を提供する。【解決手段】  環境温度センサ１２は、画像表示装置の周囲の環境温度を検出する。ファン５は、筺体７の内から外に空気を排気、若しくは筺体７の外から内に空気を吸気して、画像表示装置を冷却する。画質補正部２４は、環境温度センサ１２による検出温度と、ファン駆動状態とに基づき、表示パネル２の画質補正を行う。【選択図】  図３
2015090397.tif 000002
【特許請求の範囲】
【請求項１】
温度センサを備えた画像表示装置であって、
画像を表示する表示パネルと、
前記画像表示装置を冷却するためのファンと、
前記温度センサによる検出温度と、前記ファンの駆動状態とに基づいて、前記表示パネルの画質補正を行う補正手段と、を備えることを特徴とする画像表示装置。
【請求項２】
前記温度センサによる検出温度と、前記ファンの駆動値とに基づいて、環境温度を推測する推測手段をさらに備え、
前記補正手段は、前記推測手段により推測された環境温度の推測値に基づいて、前記表示パネルの画質補正を行うことを特徴とする請求項１に記載の画像表示装置。
【請求項３】
前記表示パネルの背面側から光を照射するための光源ユニットと、
前記光源ユニットに設けられる第１の温度センサと、
前記画像表示装置に設けられる第２の温度センサと、を更に備え、
前記推測手段は、前記第１の温度センサによる検出温度と、前記第２の温度センサによる検出温度と、前記ファンの駆動値とに基づいて、環境温度を推測し、
前記補正手段は、前記推測手段により推測された環境温度の推測値と、前記第１の温度センサによる検出温度とに基づいて、前記表示パネルの画質補正を行うことを特徴とする請求項２に記載の画像表示装置。
【請求項４】
前記第２の温度センサは、前記画像表示装置の筐体に設けられることを特徴とする請求項１から請求項３までのいずれか１項に記載の画像表示装置。
【請求項５】
前記第２の温度センサは、前記光源ユニットの背面側の回路基板に設けられることを特徴とする請求項１から請求項３までのいずれか１項に記載の画像表示装置。
【請求項６】
前記ファンの駆動値は、前記ファンの回転数、又は前記ファンの駆動電圧値であることを特徴とする請求項１から請求項５までのいずれか１項に記載の画像表示装置。
【請求項７】
前記補正手段は、前記表示パネルの階調特性に関する画質補正を行うことを特徴とする請求項１から請求項６までのいずれか１項に記載の画像表示装置。
【請求項８】
温度センサと、画像を表示する表示パネルと、画像表示装置を冷却するためのファンと、を備えた画像表示装置の制御方法であって、
前記温度センサにより温度を検出するステップと、
前記温度センサによる検出温度と、前記ファンの駆動状態とに基づいて、前記表示パネルの画質補正を行うステップと、を有することを特徴とする画像表示装置の制御方法。
【発明の詳細な説明】
【技術分野】
【０００１】
本発明は、温度センサを備えた画像表示装置及びその制御方法に関する。
【背景技術】
【０００２】
近年、液晶パネル、プラズマディスプレイパネル、有機ＥＬ（エレクトロ・ルミネッセンス）ディスプレイパネル、ＦＥＤ（電界放出ディスプレイ）パネルなど種々の表示パネルを用いた画像表示装置において、高画質化技術の開発が進められている。
【０００３】
上述のような表示パネルは、表示パネルの温度に応じて表示特性が変化することが知られている。このため、表示パネルの温度が変化しても所望の表示画質を得るために、表示パネルの温度に応じた階調補正などの画質補正を行うことが望ましい。
【０００４】
表示パネル内部に温度センサを配置したり、表示パネルに温度センサを直接設けたりすると、温度センサが画像表示に悪影響を及ぼす可能性があるため、表示パネルの温度を直接測定するのは難しい。また、表示パネルの温度を直接測定する構成を実現しようとすると、設計が困難なため大幅なコストアップが生じたり、画像表示装置の額縁幅が大きくなってしまう等の問題が生じたりする。このため、画像表示装置の筐体内部の表示パネルから離れた位置や、筐体外部に温度センサが設けることが提案されている。表示パネルの温度は、環境温度と、画像表示装置自身の駆動発熱とに応じて変化する。
【０００５】
製造ばらつきなどにより個々の表示パネルの表示特性に個体差が生じても、所望の表示画質を得るために、画像表示装置の製造工程において個々に画質補正を行う画質補正工程が設けられている。しかし、ユーザが画像表示装置を使用する際、上述した画質補正工程とは環境温度が異なる場合がある。そのような場合にも所望の表示画質を得るためには、画像表示装置が使用される環境温度に応じた画質補正を行う必要がある。
【０００６】
特許文献１には、画像表示装置の筐体内部と筐体外部のそれぞれの温度を検出し、検出した外部温度と内部温度の温度差に応じて、表示パネルの画質補正を行うことが開示されている。
【０００７】
また、特許文献２には、画像表示装置の筐体内に２つの温度センサを備え、２つの温度センサの検出温度の相関関係と、２つの温度センサの検出温度とに基づいて、環境温度を推測することが開示されている。
【先行技術文献】
【特許文献】
【０００８】
【特許文献１】特開平１０−２５３９４６号公報
【特許文献２】特開２０１３−１０８８０１号公報
【発明の概要】
【発明が解決しようとする課題】
【０００９】
ファンを用いた強制空冷を行う画像表示装置では、ファンの駆動状態を変化させると、筐体内を循環する空気の分布が変化する。また、画像表示装置の筐体内の各部分は、形状や材質などの違いに起因して放熱特性が異なっている。したがって、ファンの駆動状態を変化させると、画像表示装置の筐体内の各部分はそれぞれ異なった温度変化が生じる。
【００１０】
そこで、本発明は、ファンの駆動状態に応じて適切な画質補正を行うことが可能な画像表示装置及びその制御方法を提供することを目的とする。
【課題を解決するための手段】
【００１１】
上述した課題を解決するために、本発明の一実施形態に係る画像表示装置は、温度センサを備えた画像表示装置であって、画像を表示する表示パネルと、画像表示装置を冷却するためのファンと、温度センサによる検出温度と、ファンの駆動状態とに基づいて、表示パネルの画質補正を行う補正手段と、を備える。
【００１２】
また、本発明の一実施形態に係る画像表示装置の制御方法は、温度センサと、画像を表示する表示パネルと、画像表示装置を冷却するためのファンと、を備えた画像表示装置の制御方法であって、温度センサにより温度を検出するステップと、温度センサによる検出温度と、ファンの駆動状態とに基づいて、表示パネルの画質補正を行うステップと、を有する。
【発明の効果】
【００１３】
本発明によれば、ファンの駆動状態に応じて適切な画質補正を行うことが可能となる。
【図面の簡単な説明】
【００１４】
【図１】実施の形態１に係る画像表示装置を模式的に表した斜視図である。
【図２】実施の形態１に係る画像表示装置を模式的に示した断面図である。
【図３】実施の形態１に係る画像表示装置の機能構成の一例を示すブロック図である。
【図４】表示パネルのγ特性が温度に応じて変化する様子を説明するための図である。
【図５】光源温度センサによる検出温度ＴＢＬ、環境温度センサによる検出温度ＴＫの時間推移例を示すグラフである。
【図６】ファン駆動条件が低速駆動時／中速駆動時／高速駆動時の温度安定状態におけるΔＴＢＬとΔＴＫとの関係例を示すグラフである。
【図７】ファンの駆動電圧Ｖｆと係数ａ、ｂとの関係例を示すグラフである。
【図８】実施の形態２に係る画像表示装置を模式的に示した断面図である。
【図９】実施の形態２に係る画像表示装置の機能構成の一例を示すブロック図である。
【図１０】画像表示装置の光源温度センサによる検出温度ＴＢＬ、環境温度センサによる検出温度ＴＫ、ＩＣ温度センサによる検出温度ＴＩＣの時間推移例を示すグラフである。
【発明を実施するための形態】
【００１５】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形（各実施形態の有機的な組合せを含む）が可能であり、それらを本発明の範囲から除外するものではない。即ち、各実施形態及びその変形例を組み合わせた構成も全て本発明に含まれるものである。
【００１６】
本発明の各実施形態に示す表示装置は、表示パネルと、該表示パネルを背面から照射する光源ユニットを備える。なお、以下では表示パネルとして液晶パネルを例示し、光源ユニットの光源としてＬＥＤ発光素子を例示するが、これに限らない。例えば、光源ユニットの光源は、有機ＥＬ素子や、ＣＣＦＬ（冷陰極管）であってもよい。表示パネルは、液晶素子以外の素子（バックライト光源からの光の透過率を制御可能な素子）を有する表示パネルであってもよい。また、スクリーンに画像を投影する液晶プロジェクター等にも適用可能である。
【００１７】
（実施の形態１）
図１は、実施の形態１に係る画像表示装置１を模式的に表した斜視図である。また、図２は、実施の形態１に係る画像表示装置１を模式的に示した断面図である。
【００１８】
画像表示装置１は、表示パネル２、光源ユニット３、回路基板４、ファン５、スイッチ基板６、及び筺体７ａ、７ｂを備える。光源ユニット（バックライトユニット）３は、表示パネル２の背面側に配置され、表示パネル２を背面側から照射する。この光源ユニット３は、光源基板８、光学シート９、及びそれらを収める光源シャーシ１０を含む。なお、バックライト方式には直下型、エッジライト型などが挙げられるが、いずれの方式にも本発明の構成は適用できる。
【００１９】
回路基板４は、光源ユニット３の背面側に配置され、金属金具（又は板金部品）などを介して光源シャーシ１０に固定される。この回路基板４には、ＩＣ（集積回路）１３などの電子部品が設けられ、表示パネル２や光源ユニット３の駆動制御、各種部品への電源供給などを行う。ファン５は、光源ユニット３の背面側に配置され、金属金具（又は板金部品）などを介して光源シャーシ１０に固定される。ファン５は、ケーブルを介して回路基板４に接続され、回路基板４により駆動制御される。このファン５は、画像表示装置１を冷却するために用いられ、筺体７の内から外に空気を排気、若しくは筺体７の外から内に空気を吸気する。ファン５は、例えば軸流ファンやシロッコファンであってもよく、ＤＣ（直流）駆動でＡＣ（交流）駆動であってもよい。また、ファン５は複数あってもよい。
【００２０】
筺体７は、表示パネル２を前面側から覆う筺体（フロントカバー）７ａと、表示パネル２や光源ユニット３などを背面側から覆う筺体（リアカバー）７ｂとから構成される。この筐体７は、表示パネル２、光源ユニット３、回路基板４、ファン５、スイッチ基板６などを収容し、画像表示装置１のエンクロージャとして機能する。筺体７ａには、表示パネル２の画像表示領域を露出するための開口部が設けられている。また、筐体７ａには、操作スイッチ２１、及びユーザによる操作スイッチ２１の押下などを検知して回路基板４に伝達するためのスイッチ基板６が設けられている。筺体７ｂには、ファン５による空冷を行うための吸排気口７ｃが設けられている。なお、筺体７は合成樹脂製、金属製などいずれの材質でもよい。
【００２１】
スイッチ基板６は、筐体７ａの内側に固定され、表示パネル２の前面側に配置されており、ケーブル（不図示）を介して回路基板４と接続されている。また、このスイッチ基板６には、環境温度を検出するための環境温度センサ１２が設けられている。スイッチ基板６には大きな発熱をする電子部品は設けられていないが、画像表示装置１自身の駆動による発熱、特に光源ユニット３の発熱の影響を受ける。したがって、環境温度センサ１２による検出温度は、画像表示装置１が配置される部屋の実際の環境温度よりも高い値を示す。なお、環境温度センサ１２は、環境温度を好適に検出できる位置に設けていればよく、筐体７ａに直接設けてもよいし、スイッチ基板６以外の場所に設けてもよい。
【００２２】
光源基板８は、光源シャーシ１０の前面側に固定され、ＬＥＤ（発光ダイオード）などの光源、及び光源温度センサ１１などが設けられている。光源温度センサ１１は、光源基板８上に複数個設けられる。ただし、光源温度センサ１１は、光源基板８上に１つだけ設けられる構成であってもよい。光源温度センサ１１による検出温度は、光源基板８の実際の温度に近い値を示す。なお、光源温度センサ１１は、光源ユニット３の近傍に配置されていればよく、光源基板８以外に設けられてもよい。
【００２３】
図３は、実施の形態１に係る画像表示装置１の機能構成の一例を示すブロック図である。画像表示装置１は、表示パネル２、光源ユニット３、ファン５、光源温度センサ１１、及び環境温度センサ１２を備える。また、画像表示装置１は、映像信号入力部２０、操作スイッチ２１、メモリ２２、制御部２３、画質補正部２４、ファン制御部２５、表示パネル駆動部２６、光源駆動部２７、環境温度推測部２８、及びファン駆動部２９を備える。
【００２４】
映像信号入力部２０には、ＰＣ（パーソナル・コンピュータ）などの外部機器から映像信号が入力される。映像信号入力部２０は、外部機器から入力された映像信号を、制御部２３内の画質補正部２４に出力する。外部機器からの映像信号は、ケーブルを介して有線で入力されてもよいし、無線通信により入力されてもよい。映像信号は、アナログ信号、デジタル信号のいずれであってもよい。
【００２５】
制御部２３は、画質補正部２４をファン制御部２５を含む。制御部２３は、例えばＣＰＵ（Ｃｅｎｔｒａｌ  Ｐｒｏｃｅｓｓｉｎｇ  Ｕｎｉｔ）であり、画像表示装置１が備える各機能ブロックの動作を制御する。具体的には、ＣＰＵは、ＲＯＭ（メモリ２２）からプログラムを読み出して実行することにより、画像表示装置１が備える各機能ブロックの動作を制御する。
【００２６】
画質補正部２４は、入力された映像信号と、光源温度センサ１１による検出温度と、環境温度推測部２８により推測された環境温度の推測値とに基づいて、表示パネル２の画質補正を行う。その際、画質補正部２４は、メモリ２２に記憶された画質補正テーブルを参照して、光源温度センサ１１による検出温度と、環境温度推測部２８により推測された環境温度の推測値とに基づいて、画質補正量を決定する。ただし、画質補正部２４は、光源温度センサ１１による検出温度と、環境温度推測部２８により推測された環境温度の推測値とに基づいて、表示パネル２の温度を推測し、推測した表示パネル２の温度に応じて、画質補正量を決定してもよい。画質補正部２４は、光源温度センサ１１による検出温度と、環境温度推測部２８により推測された環境温度の推測値とに基づいて、光源ユニット３の発光量を補正してもよい。
【００２７】
図４は、表示パネルのγ特性（階調特性）が温度に応じて変化する様子を説明するための図である。実線のγカーブは、表示パネルの温度が常温時（例えば１５度）のγカーブを示し、点線のγカーブは、表示パネルの温度が高温時（例えば３５度）のγカーブを示している。このように、表示パネルのγ特性（階調特性）は、表示パネルの温度に応じて変化する。メモリ２２には、表示パネルの各温度に応じた画質補正量（階調補正量）を示す画質補正テーブルが予め記憶される。具体的には、表示パネルの各温度（例えば、０度、５度、１０度、・・・３５度、４０度）に対応するγ特性を、γ＝２．２に補正するための画質補正量を示す画質補正テーブルが予め記憶される。この画質補正量は、予め実験により算出される。
【００２８】
図３に戻って、画質補正部２４は、決定した画質補正量を反映した表示パネルのパネル駆動値を表示パネル駆動部２６に出力する。また、画質補正部２４は、決定した画質補正量を反映した光源ユニット３の光源駆動値を光源駆動部２７に出力する。なお、制御部２３は、操作スイッチ２１を介して画像表示装置１に入力されるユーザの操作内容（例えば、表示輝度の変更）に応じて、画質補正部２４による画質補正量を変更してもよい。表示パネル駆動部２６は、画質補正部２４から入力されるパネル駆動値に基づき、表示パネル２を駆動する。また、光源駆動部２７は、画質補正部２４から入力される光源駆動値に基づき、光源ユニット３を駆動する。
【００２９】
ファン制御部２５は、光源温度センサ１１による検出温度、環境温度センサ１２による検出温度、及び光源ユニット３の光源駆動値に基づいて、ファン駆動値を決定してファン駆動部２９に出力する。なお、ファン制御部２５は、光源温度センサ１１による検出温度、環境温度センサ１２による検出温度、及び光源ユニット３の光源駆動値の少なくとも１つに基づいて、ファン駆動値を決定してもよい。つまり、ファン制御部２５は、光源温度センサ１１による検出温度、環境温度センサ１２による検出温度、及び光源ユニット３の光源駆動値のうちの１つまたは２つに基づいて、ファン駆動値を決定してもよい。ファン駆動部２９は、ファン制御部２５から入力される駆動値に基づき、ファン５を駆動する。
【００３０】
環境温度推測部２８は、光源温度センサ１１による検出温度と、環境温度センサ１２による検出温度と、ファン制御部２５から入力されるファン駆動値とに基づき、画像表示装置１の周囲の環境温度を推測する。ファン駆動値としては、例えばファン５の駆動電圧値を用いる。ただし、このファン駆動値として、ファン５の回転数を用いてもよい。また、このファン駆動値は、ファン５の駆動制御を行うファン制御部２５から出力される駆動値を用いてもよいし、ファン５の回転数や駆動電圧値などを実際に計測した値を用いてもよい。例えば、ファン５の駆動電圧値としては、直流電圧値であってもよいし、ＰＷＭ（パルス幅変調）によるパルス電圧のデューティー比であってもよい。
【００３１】
次に、図５〜７を用いて、環境温度推測部２８による環境温度の推測処理の具体例を説明する。図５は、画像表示装置１の光源温度センサ１１による検出温度ＴＢＬ、環境温度センサ１２による検出温度ＴＫの時間推移例を示すグラフである。図５において、横軸は経過時間（ｔ）を示し、縦軸は温度値（℃）を示す。光源温度センサ１１による検出温度ＴＢＬと実際の環境温度ＲＴとの温度差をΔＴＢＬ、環境温度センサ１２による検出温度ＴＫと実際の環境温度ＲＴとの温度差をΔＴＫとする。なお、実際の環境温度ＲＴは、画像表示装置１が設置される部屋の実際の環境温度を示し、部屋に設けられた温度計により測定される値を示している。また、光源温度センサ１１による検出温度ＴＢＬとしては、複数の光源温度センサ１１による検出温度の平均値を用いる。ΔＴＢＬとΔＴＫの関係は、下記の式（１）、（２）で表される。
ΔＴＢＬ＝ＴＢＬ−ＲＴ      ・・・・（１）
ΔＴＫ＝ＴＫ−ＲＴ        ・・・・（２）
【００３２】
画像表示装置１を起動すると、光源ユニット３や回路基板４の発熱によってＴＢＬ及びＴＫは上昇を始める。光源ユニット３やファン５などの駆動条件や環境温度ＲＴが一定であれば、画像表示装置１は一定時間後に温度安定状態となり、ＴＢＬ及びＴＫは一定の値になる。すなわち、このような温度安定状態のとき、ΔＴＢＬとΔＴＫも一定の値になる。
【００３３】
図６は、画像表示装置１のファン駆動条件が低速駆動時／中速駆動時／高速駆動時の温度安定状態におけるΔＴＢＬとΔＴＫとの関係例を示すグラフである。図６において、横軸はΔＴＢＬを示し、縦軸はΔＴＫを示している。
【００３４】
例えば、ファン５を低速回転駆動（ファン駆動電圧Ｖｆ＝７Ｖ）したとき、光源ユニット３の発熱量の増減に応じてΔＴＢＬは増減し、ΔＴＢＬの増減に比例してΔＴＫは増減すると近似できる。これは、前述したように、環境温度センサ１２が設けられたスイッチ基板６には大きな発熱をする部品がなく、近傍に配置されて発熱量が大きい光源ユニット３からの伝熱の影響でスイッチ基板６の温度が上昇するからである。ファン５を中速回転駆動（ファン駆動電圧Ｖｆ＝９．５Ｖ）や高速回転駆動（ファン駆動電圧Ｖｆ＝１２Ｖ）した場合も同様に、ΔＴＢＬの増減に比例してΔＴＫは増減すると近似できる。すなわち、ΔＴＢＬとΔＴＫとの関係は、下記の式（３）の関係で表すことができる。ここで、係数ａ、ｂはファンの駆動状態に応じて決定される係数である。また、図６において、係数ａＬＯＷ、ａＭｉｄ、ａＨｉｇｈ、及び係数ｂＬＯＷ、ｂＭｉｄ、ｂＨｉｇｈは、それぞれ低速回転駆動、中速回転駆動、高速回転駆動時における係数ａ、ｂを表している。
ΔＴＫ＝ａ×ΔＴＢＬ＋ｂ      ・・・・（３）
【００３５】
ファン５の駆動状態が高速回転になるほど、光源ユニット３の光源基板８の外周部分が特に冷却されて温度低下し、その影響により環境温度センサ１２による検出温度が低くなる。この結果、ファン５の駆動状態が高速回転になるほど、ΔＴＫが小さくなる。光源温度センサ１１は、光源基板８上に複数個設けられており、光源基板８の外周部分に設けられた光源温度センサ１１による検出温度は、ファン５の駆動状態が高速回転になるほど低下する。一方、光源基板８の中央付近に設けられた光源温度センサ１１による検出温度は、ファン５の駆動状態が高速回転になってもそれほど低下せず、光源ユニットの駆動状態によっては温度上昇する場合もある。このため、ΔＴＢＬとΔＴＫとの関係は、図６に示したようにファン駆動条件に応じて変化する。
【００３６】
図７は、ファンの駆動電圧Ｖｆと係数ａ、ｂとの関係例を示すグラフである。図７において、横軸はファン駆動電圧Ｖｆを示し、縦軸は係数ａ、ｂの値を示している。係数ａ、ｂは、ファン駆動電圧Ｖｆの関数として近似でき、下記の式（４）、式（５）で表される。
ａ＝ｆ（Ｖｆ）      ・・・・（４）
ｂ＝ｇ（Ｖｆ）      ・・・・（５）
【００３７】
ここで、式（１）〜式（５）を整理すると、下記の式（６）を得ることができる。
【００３８】
【数１】
2015090397.tif 000003
【００３９】
環境温度推測部２８は、この式（６）を用いて、環境温度の推測処理を行う。式（６）に示しているように、ＴＢＬ、ＴＫ、Ｖｆの値から画像表示装置１の周囲の環境温度ＲＴを推測することができる。すなわち、画像表示装置１において、ファンを用いた空冷を行った場合であっても、ファンの駆動状態に応じて環境温度ＲＴを高精度で推測することが可能となる。
【００４０】
なお、ΔＴＢＬとΔＴＫとが比例関係にない場合であっても、ΔＴＢＬとΔＴＫの関係を表す近似式を用いて同様の環境温度推測を行うことは可能である。また、係数ａ，ｂは、式（４）、式（５）のようなＶｆの関数式から算出するのではなく、Ｖｆの値に応じてテーブルから選択するようにしてもよい。
【００４１】
したがって、光源温度センサによる検出温度と、環境温度センサによる検出温度と、ファン駆動状態とに基づき、環境温度推測部により、画像表示装置の周囲の環境温度を高精度で推測することが可能となる。また、光源温度センサによる検出温度と、環境温度推測部により推測された環境温度の推測値とに基づいて、画質補正部により、表示パネルの画質補正を高精度に行うことが可能となる。換言すると、光源温度センサによる検出温度と、環境温度センサによる検出温度と、ファン駆動状態とに基づき、表示パネルの画質補正を高精度に行うことが可能となる。
【００４２】
なお、光源温度センサは、本発明において必須ではなく、光源温度センサを設ける代わりに、光源駆動値に基づき光源温度を推測するようにしてもよい。この場合は、環境温度センサによる検出温度と、ファン駆動状態とに基づき、表示パネルの画質補正が行われる。以上のようにして、ファンの駆動状態に応じて適切な画質補正を行うことが可能となる。
【００４３】
（実施の形態２）
以下、実施の形態２について図面を用いて説明する。なお、本実施の形態２において、実施の形態１と同様の構成要素ついては同一の符号を付し、その詳細な説明は繰り返さない。
【００４４】
図８は、実施の形態２に係る画像表示装置３０を模式的に示した断面図である。回路基板４には、ＩＣ１３の他に、ＩＣ温度センサ３１と環境温度センサ３２が設けられている。回路基板４は、光源ユニット３の発熱の影響と、ＩＣ１３の発熱によって温度上昇する。したがって、環境温度センサ３２による検出温度は、実際の環境温度よりも高い値を示す。
【００４５】
図９は、実施の形態２に係る画像表示装置３０の機能構成の一例を示すブロック図である。図３の画像表示装置１と比較して、図９の画像表示装置３０は、ＩＣ温度センサ３１、環境温度センサ３２、環境温度推測部３３を備える点で異なっている。環境温度推測部３３は、光源温度センサ１１による検出温度と、環境温度センサ３２による検出温度と、ＩＣ温度センサ３１と、ファン制御部２５から入力されるファン駆動値とに基づき、画像表示装置３０の周囲の環境温度を推測する。ファン駆動値としては、例えばファンの駆動電圧値を用いる。
【００４６】
次に、環境温度推測部３３による環境温度の推測処理の具体例を説明する。図１０は、画像表示装置１の光源温度センサ１１による検出温度ＴＢＬ、環境温度センサ３２による検出温度ＴＫ、ＩＣ温度センサ３１による検出温度ＴＩＣの時間推移例を示すグラフである。図１０において、横軸は経過時間（ｔ）を示し、縦軸は温度値（℃）を示す。光源温度センサ１１による検出温度ＴＢＬと実際の環境温度ＲＴとの温度差をΔＴＢＬ、環境温度センサ１２による検出温度ＴＫと実際の環境温度ＲＴとの温度差をΔＴＫ、ＩＣ温度センサ３１による検出温度ＴＩＣと実際の環境温度ＲＴとの温度差をΔＴＩＣとする。なお、実際の環境温度ＲＴは、画像表示装置１が設置される部屋の実際の環境温度を示し、部屋に設けられた温度計により測定される値を示している。また、光源温度センサ１１による検出温度ＴＢＬとしては、複数の光源温度センサ１１による検出温度の平均値を用いる。ΔＴＢＬとΔＴＫの関係は、下記の式（１）、（２）、（３）で表される。
ΔＴＢＬ＝ＴＢＬ−ＲＴ      ・・・・（７）
ΔＴＫ＝ＴＫ−ＲＴ         ・・・・（８）
ΔＴＩＣ＝ＴＩＣ−ＲＴ      ・・・・（９）
【００４７】
画像表示装置３０を起動すると、光源ユニット３や回路基板４の発熱によってＴＢＬ、ＴＫ、ＴＩＣは上昇し始める。そして、光源ユニット３、ファン５、ＩＣ１３などの駆動条件及び環境温度ＲＴが一定であれば、画像表示装置３０は一定時間後に温度安定状態となり、ＴＢＬ、ＴＫ、ＴＩＣは一定の値となる。すなわち、このような温度安定状態のとき、ΔＴＢＬ、ΔＴＫ、ΔＴＩＣも一定の値となる。
【００４８】
このとき、ファンを一定の回転数で駆動していれば、ΔＴＢＬ、ΔＴＩＣのそれぞれの増減に比例してΔＴＫ、は増減すると近似できる。すなわち、ΔＴＢＬ、ΔＴＫ、ΔＴＩＣの関係は、下記の式（１０）で表すことができる。
ΔＴＫ＝ａ×ΔＴＢＬ＋ｂ×ΔＴＩＣ＋ｃ      ・・・・（１０）
【００４９】
ここで係数ａ，ｂ，ｃは、ファンの駆動状態に応じて決定される係数である。ここで、係数ａ，ｂ，ｃは、ファン駆動電圧Ｖｆの関数として近似でき、下記の式（１１）〜式（１３）で表される。
ａ＝Ｆ（Ｖｆ）      ・・・・（１１）
ｂ＝Ｇ（Ｖｆ）      ・・・・（１２）
ｃ＝Ｈ（Ｖｆ）      ・・・・（１３）
【００５０】
ここで、式（７）〜式（１３）を整理すると、下記の式（１４）を得ることができる。
【００５１】
【数２】
2015090397.tif 000004
【００５２】
環境温度推測部３３は、この式（１４）を用いて、環境温度の推測処理を行う。式（１４）に示しているように、ＴＢＬ、ＴＫ、ＴＩＣ、Ｖｆの値から画像表示装置３０の周囲の環境温度ＲＴを推測することができる。すなわち、画像表示装置３０において、ファンを用いた空冷を行った場合であっても、ファンの駆動状態に応じて環境温度ＲＴを高精度で推測することが可能となる。
【００５３】
なお、ΔＴＢＬとΔＴＫとΔＴＩＣとが比例関係にない場合であっても、ΔＴＢＬとΔＴＫとΔＴＩＣの関係を表す近似式を用いて同様の環境温度推測を行うことは可能である。また、係数ａ，ｂ，ｃは、式（１１）〜式（１３）のようなＶｆの関数式から算出するのではなく、Ｖｆの値に応じてテーブルから選択するようにしてもよい。
【００５４】
以上のようにして、この実施の形態２では、実施の形態１と同様の効果を得ることができる。
【００５５】
（その他の実施例）
また、本発明は、以下の処理を実行することによっても実現される。即ち、上述した実施形態の機能を実現するソフトウェア（プログラム）を、ネットワーク又は各種記憶媒体（ＲＯＭやＲＡＭ等の不揮発性メモリ）を介してシステム或いは装置に供給し、そのシステム或いは装置のコンピュータ（またはＣＰＵやＭＰＵ等）がプログラムを読み出して実行する処理である。したがって、上述した実施形態の機能を実現するためのコンピュータプログラム自体も本発明の一つである。
【符号の説明】
【００５６】
１，３０  画像表示装置
２  表示パネル
３  光源ユニット
５  ファン
１１  光源センサ
１２，３２  環境温度センサ
２４  画質補正部
２５  ファン制御部
２９  ファン駆動部
２８，３３  環境温度推測部
【図１】
2015090397.tif 000005
【図２】
2015090397.tif 000006
【図３】
2015090397.tif 000007
【図４】
2015090397.tif 000008
【図５】
2015090397.tif 000009
【図６】
2015090397.tif 000010
【図７】
2015090397.tif 000011
【図８】
2015090397.tif 000012
【図９】
2015090397.tif 000013
【図１０】
2015090397.tif 000014
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
温度センサを備えた画像表示装置であって、
画像を表示する表示パネルと、
前記画像表示装置を冷却するためのファンと、
前記温度センサによる検出温度と、前記ファンの駆動値とに基づいて、前記表示パネルの画質補正を行う補正手段と、を備えることを特徴とする画像表示装置。
【請求項２】
前記温度センサによる検出温度と、前記ファンの駆動値とに基づいて、環境温度を推測する推測手段をさらに備え、
前記補正手段は、前記推測手段により推測された環境温度の推測値に基づいて、前記表示パネルの画質補正を行うことを特徴とする請求項１に記載の画像表示装置。
【請求項３】
前記表示パネルの背面側から光を照射するための光源ユニットと、
前記光源ユニットに設けられる第１の温度センサと、
前記画像表示装置に設けられる第２の温度センサと、を更に備え、
前記推測手段は、前記第１の温度センサによる検出温度と、前記第２の温度センサによる検出温度と、前記ファンの駆動値とに基づいて、環境温度を推測し、
前記補正手段は、前記推測手段により推測された環境温度の推測値と、前記第１の温度センサによる検出温度とに基づいて、前記表示パネルの画質補正を行うことを特徴とする請求項２に記載の画像表示装置。
【請求項４】
前記第２の温度センサは、前記画像表示装置の筐体に設けられることを特徴とする請求項３に記載の画像表示装置。
【請求項５】
前記第２の温度センサは、前記光源ユニットの背面側の回路基板に設けられることを特徴とする請求項３に記載の画像表示装置。
【請求項６】
前記推測手段は、前記第１の温度センサによる検出温度と、前記第２の温度センサによる検出温度と、前記ファンの駆動値との関係を示す式を用いて、環境温度を推測することを特徴とする請求項３に記載の画像表示装置。
【請求項７】
前記ファンの駆動値は、前記ファンの回転数、又は前記ファンの駆動電圧値であることを特徴とする請求項１から請求項６までのいずれか１項に記載の画像表示装置。
【請求項８】
前記補正手段は、前記表示パネルの階調特性に関する画質補正を行うことを特徴とする請求項１から請求項７までのいずれか１項に記載の画像表示装置。
【請求項９】
温度センサと、画像を表示する表示パネルと、画像表示装置を冷却するためのファンと、を備えた画像表示装置の制御方法であって、
前記温度センサにより温度を検出するステップと、
前記温度センサによる検出温度と、前記ファンの駆動値とに基づいて、前記表示パネルの画質補正を行うステップと、を有することを特徴とする画像表示装置の制御方法。
【手続補正２】
【補正対象書類名】明細書
【補正対象項目名】０００７
【補正方法】変更
【補正の内容】
【０００７】
また、特許文献２には、画像表示装置の筐体内に２つの温度センサを備え、２つの温度センサの検出温度の相関関係と、２つの温度センサの検出温度とに基づいて、表示パネルの特性に影響を与える環境温度を推測することが開示されている。
【手続補正３】
【補正対象書類名】明細書
【補正対象項目名】０００９
【補正方法】変更
【補正の内容】
【０００９】
ファンを用いた強制空冷を行う画像表示装置では、ファンの駆動状態を変化させると、筐体内を循環する空気の分布が変化する。また、画像表示装置の筐体内の各部分は、形状や材質などの違いに起因して放熱特性が異なっている。したがって、ファンの駆動状態を変化させると、画像表示装置の筐体内の各部分はそれぞれ異なった温度変化が生じるので、画像表示装置の筐体内に設けた温度センサの検出温度が変わってしまうことがある。このため、ファンの駆動状態を考慮せずに、画像表示装置の筐体内に設けた温度センサによる検出温度を用いて画質補正を行うと、適切な画質補正を行うことができないことがあった。
【手続補正４】
【補正対象書類名】明細書
【補正対象項目名】００１１
【補正方法】変更
【補正の内容】
【００１１】
上述した課題を解決するために、本発明の一実施形態に係る画像表示装置は、温度センサを備えた画像表示装置であって、画像を表示する表示パネルと、画像表示装置を冷却するためのファンと、温度センサによる検出温度と、ファンの駆動値とに基づいて、表示パネルの画質補正を行う補正手段と、を備える。
【手続補正５】
【補正対象書類名】明細書
【補正対象項目名】００１２
【補正方法】変更
【補正の内容】
【００１２】
また、本発明の一実施形態に係る画像表示装置の制御方法は、温度センサと、画像を表示する表示パネルと、画像表示装置を冷却するためのファンと、を備えた画像表示装置の制御方法であって、温度センサにより温度を検出するステップと、温度センサによる検出温度と、ファンの駆動値とに基づいて、表示パネルの画質補正を行うステップと、を有する。